(57)【特許請求の範囲】
【請求項１】
ディジタル放送波を受信し、前記ディジタル放送波から番組情報を分離する受信手段と、前記番組情報を記憶する番組情報記憶手段と、録画装置情報を記憶する録画装置情報記憶手段と、前記番組情報と前記録画装置情報記憶手段に記憶された前記録画装置情報によって予約設定情報を作成する予約設定手段と、前記予約設定情報を記憶する予約設定情報記憶手段と、前記録画装置情報を受信し且つ前記予約設定情報を送信する通信手段と、前記記憶した予約設定情報から、前記番組情報と番組のイベントＩＤおよびオリジナルネットワークＩＤが等しい又は番組のタイトルが一致する同一内容の別番組を検索する検索手段と、を有し、前記予約設定手段は、前記同一内容の別番組が存在する場合、前記同一内容の別番組の予約設定情報を新たに作成し、前記予約設定情報記憶手段に記憶し、前記予約設定情報記憶手段に記憶した複数の予約設定情報の内、条件の良い一の予約設定情報以外を削除することを特徴とする情報受信装置。
【請求項２】
ディジタル放送波を受信し、前記ディジタル放送波から番組情報を分離する受信手段と、前記番組情報を記憶する番組情報記憶手段と、録画装置情報を記憶する録画装置情報記憶手段と、前記番組情報と前記録画装置情報記憶手段に記憶された前記録画装置情報によって予約設定情報を作成する予約設定手段と、前記予約設定情報を記憶する予約設定情報記憶手段と、前記録画装置情報を受信し且つ前記予約設定情報を送信する通信手段と、前記記憶した予約設定情報から、前記番組情報とジャンルコードが一致する同一内容の別番組を検索する検索手段と、を有し、前記予約設定手段は、前記同一内容の別番組が存在する場合、前記同一内容の別番組の予約設定情報を新たに作成し、前記予約設定情報記憶手段に記憶し、前記予約設定情報記憶手段に記憶した複数の予約設定情報の内、条件の良い一の予約設定情報以外を削除することを特徴とする情報受信装置。
【請求項３】
前記条件は、番組の受信状態、課金条件または放送開始時刻のいずれかである、ことを特徴とする請求項１または２に記載の情報受信装置。
【発明の詳細な説明】
【０００１】
【発明の属する技術分野】
本発明は、ディジタル放送受信装置及びディジタル放送録画装置に関する。
【０００２】
【従来の技術】
近年、一般家庭においても、種々の情報関連機器が相互に有線又は無線で接続され、全体で情報処理システムを構成するようになってきた。
ディジタル放送の番組情報を受信する情報受信装置とその番組の録画を行う録画装置が一体化されてなく、離れた場所に設置されている場合もある。そのような従来のシステムにおいては、情報受信装置側は、実際の録画装置の状態（番組を受信することが可能なのか又は番組を録画する記憶容量が足りているのか等）を知らないで、受信した番組情報により録画予約情報を作成した。
そのため、録画装置が録画ができない番組を情報受信装置が予約設定し、録画装置に対してその予約設定情報を送信してしまうという問題があった。
【０００３】
【発明が解決しようとする課題】
本発明は、上記問題を解決するものであり、情報受信装置と録画装置とが分離されている場合において、確実に録画装置にて番組の録画が行える予約設定情報を生成する情報受信装置、及び情報受信装置が生成した予約設定情報に基づいて、高い確率で番組の録画を行う録画装置を提供することを目的とする。
【０００４】
【課題を解決するための手段】
上記課題を解決するために、本発明の情報受信装置及び録画装置は、下記の構成を有する。請求項１に記載の発明は、ディジタル放送波を受信し、前記ディジタル放送波から番組情報を分離する受信手段と、前記番組情報を記憶する番組情報記憶手段と、録画装置情報を記憶する録画装置情報記憶手段と、前記番組情報と前記録画装置情報記憶手段に記憶された前記録画装置情報によって予約設定情報を作成する予約設定手段と、前記予約設定情報を記憶する予約設定情報記憶手段と、前記録画装置情報を受信し且つ前記予約設定情報を送信する通信手段と、前記記憶した予約設定情報から、前記番組情報と番組のイベントＩＤおよびオリジナルネットワークＩＤが等しい又は番組のタイトルが一致する同一内容の別番組を検索する検索手段と、を有し、前記予約設定手段は、前記同一内容の別番組が存在する場合、前記同一内容の別番組の予約設定情報を新たに作成し、前記予約設定情報記憶手段に記憶し、前記予約設定情報記憶手段に記憶した複数の予約設定情報の内、条件の良い一の予約設定情報以外を削除する、ことを特徴とする情報受信装置である。
【０００５】
請求項２に記載の発明は、ディジタル放送波を受信し、前記ディジタル放送波から番組情報を分離する受信手段と、前記番組情報を記憶する番組情報記憶手段と、録画装置情報を記憶する録画装置情報記憶手段と、前記番組情報と前記録画装置情報記憶手段に記憶された前記録画装置情報によって予約設定情報を作成する予約設定手段と、前記予約設定情報を記憶する予約設定情報記憶手段と、前記録画装置情報を受信し且つ前記予約設定情報を送信する通信手段と、前記記憶した予約設定情報から、前記番組情報とジャンルコードが一致する同一分野の別番組を検索する検索手段と、を有し、前記予約設定手段は、前記同一分野の別番組が存在する場合、前記同一分野の別番組の予約設定情報を新たに作成し、前記予約設定情報記憶手段に記憶し、前記予約設定情報記憶手段に記憶した複数の予約設定情報の内、条件の良い一の予約設定情報以外を削除する、ことを特徴とする情報受信装置である。
【０００７】
請求項３に記載の発明は、前記条件は、番組の受信状態、課金条件または放送開始時刻のいずれかである、ことを特徴とする請求項１または２に記載の情報受信装置である。
【００１０】
本発明は、情報受信装置と録画装置が離れた場所に設置されていても、ユーザが安心して番組の録画予約をすることができ、更に高い確率で録画予約した番組の録画が行える情報受信装置及び録画装置を実現できるという作用を有する。
【００１１】
【発明の実施の形態】
以下に本発明の実施をするための最良の形態を具体的に示した実施例について図面とともに記載する。
【００１２】
《実施例１》
図１〜図５を用いて本発明の実施例１における情報受信装置及び録画装置について説明する。
図１は、本発明の実施例１におけるシステム構成を示す模式図である。図１で、１は放送局、２は情報受信装置、３は録画装置である。情報受信装置２と録画装置３はＩＥＥＥ１３９４ケーブル４で接続されている。５は放送局１の送信エリアである。
放送局１は、有線又は無線でテレビ、ラジオ又はデータの番組と番組に関する情報とを多重化したディジタル放送波を送信する。テレビ、ラジオ又はデータの番組と番組に関する情報は、例えば、社団法人電波産業会(ARIB：Association of Radio Industries and Businesses)で規定しているＭＰＥＧ(Moving Picture Experts Group)、ＳＩ(Service Information)(番組配列情報)、ＢＭＬ(Broadcast Markup Language)などの規格に従って符号化されている。
【００１３】
図２は、情報受信装置２の構成を示したブロック図である。図２で、２１は受信手段、２２は番組情報記憶手段、２３は通信手段、２４は録画装置情報記憶手段、２５は予約設定手段、２６は予約設定情報記憶手段、２７は入力手段、２８は表示手段である。
受信手段２１は、放送局１が送信したディジタル放送波を受信し、番組情報を分離して番組情報記憶手段２２に記憶する。番組情報とは、ＡＲＩＢで規定している番組を放送する放送局のネットワークＩＤ、トランスポートストリームＩＤ、サービスＩＤ、放送局名、番組のイベントＩＤ、オリジナルネットワークＩＤ、番組タイトル、開始時刻、終了時刻、課金情報、視聴年齢制限、番組種別等である。通信手段２３は、録画装置３が送信した録画装置３に関する情報（録画装置情報）を受信し且つ予約設定情報記憶手段２６に記憶された録画予約設定に関する情報（予約設定情報）を録画装置３に送信する。
【００１４】
録画装置情報とは、録画装置３が受信している放送局の情報（ネットワークＩＤ、トランスポートストリームＩＤ、サービスＩＤ）、既に予約されている予約設定情報の一覧、録画装置３の録画可能な容量、録画装置３の課金契約等の情報である。録画装置情報記憶手段２４は、通信手段２３が受信した録画装置情報を記憶する。また、ユーザが入力手段２７を使用して直接録画装置情報を録画装置情報記憶手段２４に記憶させることもできる。
【００１５】
予約設定手段２５は、番組情報記憶手段２２が記憶している番組情報、録画装置情報記憶手段２４が記憶している録画装置情報及び入力手段２７から入力される情報を使用し、必要な情報を表示手段２８にて表示しながら、ユーザに番組を選択させて予約設定情報を作成する。作成した予約設定情報は、予約設定情報記憶手段２６に記憶する。表示手段２８で表示する情報は、例えば、放送局名、番組名、放送開始時刻、放送終了時刻、年齢制限、課金情報、番組種別、視聴か録画かの予約種別等である。予約設定情報は、例えば、番組を放送する放送局のネットワークＩＤ、トランスポートストリームＩＤ、サービスＩＤ、放送局名、番組のイベントＩＤ、オリジナルネットワークＩＤ、番組タイトル、開始時刻、終了時刻、課金情報、視聴年齢制限、番組種別、視聴か録画かの予約種別等を有する情報である。
【００１６】
図３は、情報受信装置２が、録画装置情報を録画装置情報記憶手段２４に記憶するまでの動作アルゴリズムを示すフローチャートである。
ステップＳ３１では、通信手段２３が録画装置３からの録画装置情報を受信可能であるかどうかを判定する。実施例１においては、通信手段２３が、録画装置３に録画装置情報の送信を要求し、その要求に対する応答の有無で判定する。
受信可能であれば、ステップＳ３２に移行し、受信不可能であれば、ステップＳ３３に移行する。
ステップＳ３２では、通信手段２３が、録画装置３から送られた録画装置情報を受信する。
ステップＳ３３では、ユーザが、入力手段２７を使用して録画装置情報を入力する。
ステップＳ３４では、録画装置情報記憶手段２４に録画装置情報を記憶する。
【００１７】
図４を用いて、予約設定情報を作成する動作の説明を行う。
図４は、情報受信装置２が、予約設定情報を予約設定情報記憶手段２６に記憶するまでの動作アルゴリズムを示すフローチャートである。
ステップＳ４１では、受信手段２１が、放送局１が送信するディジタル放送波を受信し、番組情報を分離する。
ステップＳ４２では、番組情報記憶手段２２に番組情報を記憶する。
ステップＳ４３では、予約設定手段２５が、番組情報記憶手段２２に記憶されている番組情報を取得する。取得した番組情報に基づいて、例えば、放送局毎に放送時刻にそって番組のタイトルを並べて表示手段２８で表示する。
ステップＳ４４では、表示手段２８にて表示されている内容をもとにユーザが入力手段２７によって録画予約する番組を選択する。
ステップＳ４５では、予約設定手段２５が、録画装置情報記憶手段２４に記憶されている録画装置情報（録画装置３に関する情報）を取得する。
ステップＳ４６では、ステップＳ４４で選択した番組が、録画装置３で録画予約可能かどうかの判定を行う。録画予約可能であればステップＳ４７に移行する。録画予約不可能であればステップＳ４４に戻る。従って、録画装置３で録画できない番組は録画予約できない。
【００１８】
録画予約可能かどうかを判定する方法は、（１）選択された番組を放送する放送局のネットワークＩＤ、トランスポートストリームＩＤ、サービスＩＤの組と録画装置３が受信可能な放送局のネットワークＩＤ、トランスポートストリームＩＤ、サービスＩＤの組を比較して、同一であれば録画予約可能と判定する方法、（２）選択された番組の放送時間が録画装置３の録画可能な容量（時間）よりも短ければ、録画予約可能と判定する方法、（３）選択された番組が課金されている場合に、録画装置３で受信可能な契約をしていれば録画予約可能と判定する方法、（４）既に録画装置３で予約されている予約設定情報の一覧と選択された番組を比較して、重複予約していなければ録画予約可能と判定する方法等がある。また、これらを組み合わせて判定しても良い。
【００１９】
ステップＳ４７では、選択した番組の録画予約を行う予約設定情報を作成する。  ステップＳ４８では、作成した予約設定情報を予約設定情報記憶手段２６に記憶する。
【００２０】
図５は、情報受信装置２が、録画装置３へ予約設定情報を送信するまでの動作アルゴリズムを示するフローチャートである。
ステップＳ５１では、通信手段２３が、録画装置３と通信が可能な状態であるかどうかを判定する。通信可能状態の判定は、実施例１においては、通信手段２３が、録画装置３に通信開始を要求し、その応答の有無で判定する。
通信可能であればステップＳ５２に移行する。通信不能であれば本処理を抜ける。
ステップＳ５２では、予約設定情報記憶手段２６に記憶されている予約設定情報を通信手段２３に出力する。
ステップＳ５３では、予約設定情報を通信手段２３から録画装置３へ送信する。
【００２１】
録画装置３は、予約設定情報に従って番組を録画する。図５のフローチャートの実行タイミングは、任意である。例えば、予約設定情報を作成後（図４）、直ちに図５のフローチャートを実行しても良い。又は、録画予約した番組の開始時刻に図５のフローチャートを実行しても良い。
【００２２】
以上のように、実施例１の情報受信装置においては、情報受信装置２と録画装置３が離れた場所に設置されていても、情報受信装置２は、録画装置３が録画可能な番組についてのみ、予約設定情報を作成する。情報受信装置２で作成された予約設定情報に係る番組は、録画装置３で確実に録画される。このことは、予約したユーザに大きな安心を与える。
【００２３】
《実施例２》
図１、図６〜図７を用いて本発明の実施例２における情報受信装置について説明する。
図６は、実施例２における情報受信装置６１の構成を示すブロック図である。実施例２の情報受信装置６１は、実施例１の情報受信装置２と同様に、図１に示すシステムに含まれている（図１において、情報受信装置２を情報受信装置６１に置き換えたシステム）。
情報受信装置６１の構成は、検索手段６２が追加されている点で実施例１の情報受信装置２（図２）と異なる。他の点では両者は同一である。同一のものについては同一符号を付し、説明を省略する。
検索手段６２は、受信手段２１が番組情報を受信した場合に、予約設定情報記憶手段２６に記憶されている予約設定情報の中に、受信した番組情報と関連する予約設定情報が存在するかどうかを検索する。存在する場合は、予約設定手段２５は、その番組情報について予約設定情報を作成し、予約設定情報記憶手段２６に記憶する。
【００２４】
図７を用いて、情報受信装置６１が、検索手段６２の検索結果に基づいて、新たな予約設定情報を作成する動作の説明を行う。
図７は、情報受信装置６１が、予約設定情報を作成するまでの動作アルゴリズムを示すフローチャートである。
ステップＳ７１では、受信手段２１が、放送局１が送信するディジタル放送波を受信し、番組情報を分離する。分離した番組情報は、番組情報記憶手段２２及び検索手段６２に出力する。
ステップＳ７２では、検索手段６２が、予約設定情報記憶手段２６に記憶している作成済みの予約設定情報の中に、受信した番組情報と関連する番組の予約設定情報が存在するかどうかの検索を行う。存在する場合は、ステップＳ７３に移行する。存在しない場合は、本処理を抜ける。
【００２５】
ここで、「受信した番組情報と関連する番組」とは、同一内容の別番組又は同一分野の番組を意味する。
同一内容の別番組とは、例えば、再放送により同一番組が複数回放送される場合や、複数の放送局で同一番組が放送される場合である。番組のイベントＩＤとオリジナルネットワークＩＤが等しい、又は、番組のタイトルが一致する、場合に同一内容の別番組と判定する。
同一分野の番組とは、例えば、ニュースや天気予報のような番組である。この場合には、番組情報に含まれているジャンルコードが一致する、又は、番組タイトルにニュースや天気予報といったその分野を示す単語が含まれる、場合に同一分野の番組と判定する。
【００２６】
ステップＳ７３では、検索手段６２が予約設定手段２５に、受信した番組情報と関連する番組の予約設定情報が存在することを通知する。予約設定手段２５は、受信した番組情報についての予約設定情報を作成する。
ステップＳ７４では、作成した予約設定情報を予約設定情報記憶手段２６に記憶する。
【００２７】
以上のように、実施例２の情報受信装置においては、同一番組又は同一分野の番組の録画予約設定情報の作成を自動で行うことができる。この複数の同一番組又は同一分野の番組の予約設定情報を録画装置３に送信することによって、録画装置３は、受信状態の良い番組、課金条件が有利な番組又は放送開始時刻の早い番組等の条件の良い放送の番組を選択して録画することが可能となる。
【００２８】
また、同一番組又は同一分野の番組の予約設定情報を録画装置３に送信した時、元の番組の予約設定情報を取り消すこともできる。又は、複数の同一番組又は同一分野の番組の予約設定情報の何れかに従って録画装置３が録画を実行した後、残る予約設定情報を取り消すこともできる。
【００２９】
《実施例３》
図１、図８、図９を用いて本発明の実施例３における録画装置について説明する。
図８は、実施例３における録画装置３の構成を示すブロック図である。図８で、８１は受信手段、８２は番組情報記憶手段、８３は通信手段、８４は予約設定手段、８５は予約設定情報記憶手段、８６は受信状況変化検出手段、８７は録画装置情報記憶手段、８８は録画手段である。
受信手段８１は、放送局１が送信したディジタル放送波を受信し、番組情報を分離する。番組情報記憶手段８２は、受信手段８１からの番組情報を記憶する。
通信手段８３は、情報受信装置２からの予約設定情報を受信し、受信状況変化検出手段８６からの受信状況変化データを情報受信装置２に送信し、且つ、録画装置情報記憶手段８７に記憶されている録画装置情報を情報受信装置２に送信する。
【００３０】
予約設定手段８４は、通信手段８３が受信した情報受信装置２からの予約設定情報を基に録画予約のための予約設定情報を作成する。予約設定情報記憶手段８５は、予約設定手段８４が作成した予約設定情報を記憶する。
受信状況変化検出手段８６は、放送局からの受信状況が変化した場合に、受信状況変化データを作成し、通信手段８３を介して情報受信装置２に送信する。受信状況変化データは、放送局に関する情報（ネットワークＩＤ、トランスポートストリームＩＤ、サービスＩＤの組）及び受信状況（例えば、受信中の場合は１、受信不可の場合は０となるフラグ）とで構成される。
録画装置情報記憶手段８７は、実施例１で説明した録画装置情報を記憶している。録画手段８８は、予約設定情報記憶手段８５に記憶している予約設定情報を基に、受信手段８１が受信した該当する番組を録画する。
【００３１】
次に、動作例について説明する。
図１で放送局１の送信エリア５の範囲内に設置してあった録画装置３が、放送局１の送信エリア５の範囲外に移動したとする。すると、受信状況変化検出手段８６は、番組情報記憶手段８２に記憶されている番組情報の放送局１に関する情報（ネットワークＩＤ、トランスポートストリームＩＤ、サービスＩＤの組）が受信されなくなったので、受信状況が変化したと判定し、受信状況変化データを作成する。この時、受信状況変化データの受信状況は０となる。作成した受信状況変化データは通信手段８３を介して、情報受信装置２に送信される。また、受信状況変化検出手段８６は、番組情報記憶手段８２から放送局１に関連する番組情報を、予約設定情報記憶手段８５から放送局１に関連する予約設定情報を削除する。
【００３２】
次に、録画装置３が、再度、放送局１の送信エリア５の範囲内に移動したとする。すると、受信状況変化検出手段８６は、番組情報記憶手段８２に記憶されていない番組情報が受信されるので、受信状況が変化したと判定し、受信状況変化データを作成する。この時、受信状況変化データの受信状況は１となる。受信した番組情報は番組情報記憶手段８２に記憶される。作成した受信状況変化データは通信手段８３を介して、情報受信装置２に送信される。
【００３３】
図９は、録画装置３の受信状況が変化した場合に、録画装置３が、受信状況変化データを情報受信装置２に送信するまでの動作アルゴリズムを示すフローチャートである。
ステップＳ９１では、受信状況変化検出手段８６が、受信状況が変化したかどうかの判定を行う。受信状況が変化した場合は、ステップＳ９２に移行する。受信状況の変化がない場合は、本処理を抜ける。
ステップＳ９２では、受信状況変化検出手段８６が、受信状況の変化（受信可→不可、受信不可→可）に従い受信状況変化データを作成する。
ステップＳ９３では、通信手段８３が、作成した受信状況変化データを情報受信装置２に送信する。
【００３４】
以上のように、実施例３の録画装置においては、録画装置３の受信状況が変化した場合に、受信状況変化検出手段８６がその変化を検出し、情報受信装置２に変化した受信情報を受信状況変化データとして送信する。情報受信装置２は、受信状況変化データに基づいて、受信されなくなった放送局に関連する予約設定情報を予約設定情報記憶手段２６から削除する。ユーザは、情報受信装置２の表示手段２８の表示を見て、その番組を録画できなくなったことを知ることができるので、他の録画装置を使用してその番組を録画させる等の対策を考えることができる。
【００３５】
他の実施例においては、受信状況が変化して、番組情報を受信できなくなった場合は、情報受信装置２の予約設定情報記憶手段２６及び録画装置３の予約設定情報記憶手段８５は、記憶しているその放送局に関連する予約設定情報に無効フラグを付加する。無効フラグが付加された予約設定情報に従って番組録画は実行されない。再び受信状況が変化して、その放送局の番組情報を受信できるようになった場合は、その放送局に関連する予約設定情報から無効フラグを除去する（又は有効フラグにする）等の方法により受信状況が好転した場合は予約設定情報を復活できる。
【００３６】
《実施例４》
図１０〜図１２を用いて本発明の実施例４における録画装置について説明する。
図１０は、本発明の実施例４におけるシステム構成を示す模式図である。なお、図１と同一のものについては、同一符号を付し、説明を省略する。
図１０で、放送局１０１は、放送局１と異なる放送局で、放送局１と同様に有線又は無線でテレビ、ラジオ又はデータの番組と番組に関する情報とを多重化したディジタル放送波を送信する。録画装置１０２と録画装置１０３は、同一の構成を有する録画装置である。情報受信装置２と録画装置１０２及び録画装置１０２と録画装置１０３は、それぞれＩＥＥＥ１３９４ケーブル４で接続されている。放送局１０１の送信エリア１０４は、放送局１０１が送信する放送波を受信できる範囲である。
また、受信装置２及び録画装置１０２は、放送局１及び放送局１０１が送信するディジタル放送波の受信範囲にあり、録画装置１０３は放送局１０１が送信するディジタル放送波のみ受信可能である。
【００３７】
図１１は、実施例４における録画装置１０２の構成を示すブロック図である。なお、実施例３と同一のものについては、同一符号を付し、説明を省略する。
図１１で、１１１は判定手段である。判定手段１１１は、受信できていた放送局からのディジタル放送波の受信ができなくなった場合に、その放送局の番組が予約設定されているかどうかを検索し、予約設定されている場合は、その番組を録画できる録画装置にその予約設定情報を通信手段８３を介して送信する。
録画装置情報記憶手段８７は、実施例３で説明した機能に加えて、他の録画装置に関する情報（他の録画装置情報）を記憶する。他の録画装置情報とは、その録画装置が受信可能な放送局に関する情報（ネットワークＩＤ、トランスポートストリームＩＤ、サービスＩＤの組）である。
【００３８】
次に、動作例について説明する。
録画装置１０２は、放送局１及び放送局１０１が送信する番組を録画するための予約設定情報を作成し、予約設定情報記憶手段８５に記憶している。録画装置情報記憶手段８７には、録画装置１０３に関する情報が記憶されている。
ここで、録画装置１０２が、放送局１０１の送信エリア１０４の範囲外に移動したとする。すると、判定手段１１１は、放送局１０１からの番組情報を受信できなくなったことを検出し、放送局１０１が送信する番組に対する予約設定情報が、予約設定情報記憶手段８５の中に存在するかどうかを検索する。検索は、受信不可能となった放送局のネットワークＩＤ、トランスポートストリームＩＤ、サービスＩＤの組をキーにして行う。
【００３９】
放送局１０１に対する予約設定情報が存在する場合は、録画装置情報記憶手段８７を検索し、録画装置１０３が、放送局１０１の番組情報を受信できるかどうかを判定する。判定は、検索した予約設定情報より、その放送局のネットワークＩＤ、トランスポートストリームＩＤ、サービスＩＤの組を取得して、録画装置情報記憶手段８７に記憶している録画装置１０３の受信可能な放送局のネットワークＩＤ、トランスポートストリームＩＤ、サービスＩＤの組の中から同一の組があるかを検索して行う。受信できる場合は、通信手段８３を介して録画装置１０３にこの予約設定情報を送信する。また、番組情報記憶手段８２から放送局１０１の番組情報を、予約設定情報記憶手段８５から放送局１０１の番組に対する予約設定情報をそれそれ削除する。
【００４０】
図１２は、録画装置１０２が、放送局からのディジタル放送波を受信できなくなった場合にその放送局の番組に対する予約設定情報を自動的に他の録画装置に送信するまでの動作アルゴリズムを示すフローチャートである。
ステップＳ１２１では、今まで受信可能であった放送局の番組情報が受信不可となったかどうかの判定を行う。受信不可になった場合は、ステップＳ１２２に移行する。受信不可となっていない場合は、本処理を抜ける。
ステップＳ１２２では、予約設定情報記憶手段８５に記憶されている予約設定情報の番組の中から、受信不可と判定した放送局で放送する番組が存在するかどうかを検索する。存在する場合は、ステップＳ１２３に移行する。存在しない場合は、本処理を抜ける。
ステップＳ１２３では、該番組を録画できる録画装置が存在するかどうかを、録画装置情報記憶手段８７が記憶している録画装置情報から検索する。録画可能な録画装置が存在する場合は、ステップＳ１２４に移行する。存在しない場合は、本処理を抜ける。
ステップＳ１２４では、通信手段８３を介して録画装置１０３にこの予約設定情報を送信する。録画装置１０３が、この予約設定情報に従って、その放送局の番組を録画する。
【００４１】
以上のように、実施例４の録画装置においては、録画予約済みの番組を放送する放送局からのディジタル放送波が受信できなくなった場合でも、この番組を録画できる録画装置を自動的に検索し、その録画装置に予約設定情報を送信する。
よって、その録画装置により番組の録画が可能になる。
【００４２】
【発明の効果】
本発明の情報受信装置及び録画装置によれば、下記に示す有効な効果が得られる。
本発明の情報受信装置においては、情報受信装置と録画装置が離れた場所に設置されていても、情報受信装置で受信した番組が録画装置で録画可能かどうかを録画装置情報記憶手段に記憶した録画装置情報を使用することで判明できる。よって、情報受信装置で作成された予約設定情報に係る番組は、録画装置で確実に録画できる。ユーザは安心して番組の録画予約をすることができる。
【００４３】
また、本発明の情報受信装置においては、同一番組又は同一分野の番組の録画予約設定情報の作成を自動で行うことができる。この複数の同一番組又は同一分野の番組の予約設定情報を録画装置に送信することによって、録画装置にて受信状態、課金条件又は放送開始時刻等の観点から、条件の良い放送の番組を選択して録画することが可能となる。
【００４４】
また、本発明の録画装置においては、録画装置の受信状況が変化した場合に、受信状況変化検出手段がその変化を検出し、情報受信装置に変化した受信情報を送信する。これにより、ユーザは、情報受信装置の表示手段の表示を見て、その番組を録画できなくなったことを知ることができる。ユーザは、他の録画装置を用いて、その番組を録画する等の対策を立てることができる。
【００４５】
更に、本発明の録画装置においては、録画予約した番組を放送する放送局からのディジタル放送波が受信不可になった場合でも、この番組を録画できる他の録画装置を自動的に検索し、その録画装置に予約設定情報を送信する。これにより、情報受信装置が生成した予約設定情報に基づいて番組の録画が可能になる。
【図面の簡単な説明】
【図１】  本発明の実施例１におけるシステム構成を示す模式図である。
【図２】  本発明の実施例１における情報受信装置２の構成を示したブロック図である。
【図３】  録画装置情報を録画装置情報記憶手段２４に記憶するまでの動作アルゴリズムを示すフローチャートである。
【図４】  予約設定情報を予約設定情報記憶手段２６に記憶するまでの動作アルゴリズムを示すフローチャートである。
【図５】  録画装置３へ予約設定情報を送信するまでの動作アルゴリズムを示するフローチャートである。
【図６】  本発明の実施例２における情報受信装置６１の構成を示したブロック図である。
【図７】  検索手段６２が予約設定情報を作成するまでの動作アルゴリズムを示すフローチャートである。
【図８】  本発明の実施例３における録画装置３の構成を示したブロック図である。
【図９】  受信状況変化データを情報受信装置２に送信するまでの動作アルゴリズムを示すフローチャートである。
【図１０】  本発明の実施例４におけるシステム構成を示す模式図である。
【図１１】  本発明の実施例４における録画装置１０２の構成を示したブロック図である。
【図１２】  予約設定情報を自動的に他の録画装置に送信するまでの動作アルゴリズムを示すフローチャートである。
【符号の説明】
１、１０１  放送局
２、６１    情報受信装置
３、１０２、１０３  録画装置
４    ＩＥＥＥ１３９４ケーブル
５    放送局１の送信エリア
２１、８１  受信手段
２２、８２  番組情報記憶手段
２３、８３  通信手段
２４  ８７  録画装置情報記憶手段
２５、８４  予約設定手段
２６、８５  予約設定情報記憶手段
２７  入力手段
２８  表示手段
６２  検索手段
８６  受信状況変化検出手段
８８  録画手段
１０４  放送局１０１の送信エリア
１１１  判定手段
【図１】
0004705285.tif 000002
【図２】
0004705285.tif 000003
【図３】
0004705285.tif 000004
【図４】
0004705285.tif 000005
【図５】
0004705285.tif 000006
【図６】
0004705285.tif 000007
【図７】
0004705285.tif 000008
【図８】
0004705285.tif 000009
【図９】
0004705285.tif 000010
【図１０】
0004705285.tif 000011
【図１１】
0004705285.tif 000012
【図１２】
0004705285.tif 000013